(57)【特許請求の範囲】
【請求項１】
インターネットを用いる広告をコンピュータにより行うための広告方法であり、
クリック当り入札価格（または、露出当り入札価格）に基づいて広告に対して決定された広告掲載順位を前記コンピュータが確認するステップと、
前記コンピュータにより前記確認された広告掲載順位に応じる広告露出領域を介して前記広告を決定された期間の間に前記コンピュータが露出するステップと、を含み、
前記クリック当り入札価格（または、前記露出当り入札価格）、前記期間の間に前記広告に対して実際に発生したクリック数（または、露出数）および前記期間の間の露出に対応する期間定額単価に基づいて前記広告の露出による広告費用が前記コンピュータによって算定され、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金および前記広告の広告主によって決定された料金別の加重値に基づいて前記コンピュータによって算出されることを特徴とする広告方法。
【請求項２】
前記クリック当り入札価格（または、前記露出当り入札価格）は、前記広告の広告主によって入力されることを特徴とする請求項１に記載の広告方法。
【請求項３】
前記期間定額単価は、前記広告を運用する運用者システムによって決定されることを特徴とする請求項１に記載の広告方法。
【請求項４】
前記広告掲載順位は、１つのウェブページに含まれた複数の広告露出領域のうちいずれの広告露出領域を介して広告が露出されるかに関する情報として、前記クリック当り入札価格（または、前記露出当り入札価格）が高いほど前記ウェブページの更に上段に位置する広告露出領域を介して前記広告が露出されるように決定されることを特徴とする請求項１に記載の広告方法。
【請求項５】
前記料金別の加重値は、前記広告費用に前記クリック従量料金（または、前記露出従量料金）を反映するための比率および前記期間定額料金を反映するための比率のうち少なくとも１つの比率を含むことを特徴とする請求項１に記載の広告方法。
【請求項６】
インターネットを用いる広告の競売をコンピュータによって行うための競売方法であり、
少なくとも１つの広告主から入力されるクリック当り入札価格（または、露出当り入札価格）を前記コンピュータが確認するステップと、
前記クリック当り入札価格（または、前記露出当り入札価格）に基づいて前記広告主の広告に対する広告掲載順位を前記コンピュータが決定するステップと、を含み、
前記広告は前記広告掲載順位に応じる広告露出領域を介して露出され、
前記クリック当り入札価格（または、前記露出当り入札価格）、決定された期間の間の前記広告の露出に対応する期間定額単価および前記期間の間に前記広告に対して実際に発生したクリック数（または、露出数）に基づいて前記広告の露出による広告費用が前記コンピュータにより算定され、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金および前記広告の広告主によって決定された料金別の加重値に基づいて前記コンピュータにより算出されることを特徴とする競売方法。
【請求項７】
インターネットを用いる広告の課金をコンピュータにより行うための課金方法であり、
広告露出領域を介して露出された広告のクリック当り入札価格（または、露出当り入札価格）を前記コンピュータが確認するステップと、
決定された期間の間の前記広告の露出に対応する期間定額単価を確認するステップと、
前記期間定額単価に対する期間の間に前記広告に対して実際に発生したクリック数（または、露出数）を前記コンピュータが確認するステップと、
前記クリック当り入札価格（または、前記露出当り入札価格）、前記クリック数（または、前記露出数）および前記期間定額単価に基づいて前記広告の露出による広告費用を前記コンピュータが算定するステップと、
を含み、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金および前記広告の広告主によって決定された料金別の加重値に基づいて前記コンピュータにより算出されことを特徴とする課金方法。
【請求項８】
請求項１乃至請求項７のいずれか１項の方法を行うプログラムを記録したコンピュータで読み出し可能な記録媒体。
【請求項９】
インターネットを用いる広告のためのコンピュータを含む広告システムであり、
クリック当り入札価格（または、露出当り入札価格）に基づいて広告に対して決定された広告掲載順位を確認する広告掲載順位確認部と、
前記確認された広告掲載順位に応じる広告露出領域を介して前記広告を決定された期間の間に露出する広告露出部と、を備え、
前記広告掲載順位確認部と前記広告露出部とは、前記コンピュータにより実行されるソフトウェアモジュールとして動作し、
前記クリック当り入札価格（または、前記露出当り入札価格）、前記期間の間に前記広告に対して実際に発生したクリック数（または、露出数）、および前記期間の間の露出に対応する期間定額単価に基づいて前記広告の露出による広告費用が前記コンピュータにより算定され、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金、および前記広告の広告主によって決定された料金別の加重値に基づいて前記コンピュータにより算出されることを特徴とする広告システム。
【請求項１０】
前記クリック当り入札価格（または、前記露出当り入札価格）は、前記広告の広告主によって入力されることを特徴とする請求項９に記載の広告システム。
【請求項１１】
前記期間定額単価は、前記広告を運用する運用者システムによって決定されることを特徴とする請求項９に記載の広告システム。
【請求項１２】
前記広告掲載順位は、１つのウェブページに含まれた複数の広告露出領域のうちいずれの広告露出領域を介して広告が露出されるかに関する情報として、前記クリック当り入札価格（または、前記露出当り入札価格）が高いほど前記ウェブページの更に上段に位置する広告露出領域を介して前記広告が露出されるように決定されることを特徴とする請求項９に記載の広告システム。
【請求項１３】
前記料金別の加重値は、前記広告費用に前記クリック従量料金（または、前記露出従量料金）を反映するための比率および前記期間定額料金を反映するための比率のうち少なくとも１つの比率を含むことを特徴とする請求項９に記載の広告システム。
【請求項１４】
インターネットを用いる広告の競売を行うためのコンピュータを含む競売システムであり、
少なくとも１つの広告主から入力されるクリック当り入札価格（または、露出当り入札価格）を確認するクリック当り入札価格（または、露出当り入札価格）確認部と、
前記クリック当り入札価格（または、前記露出当り入札価格）に基づいて前記広告主の広告に対する広告掲載順位を決定する広告掲載順位決定部と、を備え、
前記クリック当り入札価格（または、露出当り入札価格）確認部と前記広告掲載順位決定部とは、前記コンピュータにより実行されるソフトウェアモジュールとして動作し、
前記広告は前記広告掲載順位に応じる広告露出領域を介して露出され、
前記クリック当り入札価格（または、前記露出当り入札価格）、決定された期間の間の前記広告の露出に対応する期間定額単価、および前記期間の間に前記広告に対して実際に発生したクリック数（または、露出数）に基づいて前記広告の露出による広告費用が前記コンピュータにより算定され、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金、および前記広告の広告主によって決定された料金別の加重値に基づいて前記コンピュータにより算出されることを特徴とする競売システム。
【請求項１５】
インターネットを用いる広告の課金のためのコンピュータを含む課金システムであり、
広告露出領域を介して露出された広告のクリック当り入札価格（または、露出当り入札価格）を確認するクリック当り入札価格（または、露出当り入札価格）確認部と、
決定された期間の間の前記露出に対応する期間定額単価を確認する期間定額単価確認部と、
前記期間定額単価に対する期間の間に前記広告に対して実際に発生したクリック数（または、露出数）を確認するクリック数（または、露出数）確認部と、
前記クリック当り入札価格（または、前記露出当り入札価格）、前記クリック数（または、前記露出数）および前記期間定額単価に基づいて前記広告の露出による広告費用を算定する広告費用算定部と、
を備え、
前記クリック当り入札価格（または、露出当り入札価格）確認部と期間定額単価確認部とクリック数（または、露出数）確認部と広告費用算定部とは、前記コンピュータにより実行されるソフトウェアモジュールとして動作し、
前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金、および前記広告の広告主によって決定された料金別の加重値に基づいて前記コンピュータにより算出されることを特徴とする課金システム。
【発明の詳細な説明】
【技術分野】
【０００１】
本発明に係る実施形態は、クリックまたは露出による入札価格および期間に応じて固定された単価を用いた競売方法およびシステム、広告方法およびシステム、並びに課金方法およびシステムに関し、より詳しくは、クリック（または、露出）による入札価格によって競売および広告提供を行ない、前記入札価格と一定期間に対して同一に設定された期間定額単価を全て用いて広告費用を算定する方法およびシステムに関する。
【背景技術】
【０００２】
インターネット広告においては、インターネットを用いた広告であり、インターネットという媒体の長所を活用した広告を介して、企業は少ない費用で多くの消費者に接することができ、顧客の反応を直ちに把握することができる。一例として、キーワード広告（ｋｅｙｗｏｒｄ  ａｄｖｅｒｔｉｓｉｎｇ）は、検索サイトで検索語を入力すると、検索結果が表示される画面に、関連する業者の広告を露出させる広告方式をいう。もし、ユーザが「引越し」と関連する検索語を入力すると、検索結果として「包装引越し」、「引越し荷物センター」など引越しと関連する広告を露出（表示）させてもよい。すなわち、特定の製品に関心を有する人に広告を露出することによって、より高い広告効果を得ることができる。
【発明の概要】
【発明が解決しようとする課題】
【０００３】
本明細書において、このようなインターネット広告に関して、効率的かつ効果的に競売、広告提供、課金を行う方法、およびシステムを提案する。本発明が解決しようとする課題は、広告主から入力された広告の掲載位置を一定期間の間保証するためのクリック当り入札価格（または、露出当り入札価格）に基づいて広告掲載順位を決定する競売方法およびシステムを提供することにある。
【０００４】
本発明が解決しようとする課題は、ウェブページに含まれた複数の広告露出領域のうち、前記クリック当り入札価格に基づいて決定された広告掲載順位に対する広告露出領域を介して該当する広告主の広告を露出する広告方法およびシステムを提供することにある。
【０００５】
本発明が解決しようとする課題は、前記クリック当り入札価格（または、露出当り入札価格）、運用者システムによって決定された期間定額単価、および前記期間定額単価による期間の間に実際に発生したクリック数（または、露出数）に基づいて広告費用を算定する課金方法およびシステムを提供することにある。
【課題を解決するための手段】
【０００６】
本発明の一実施形態に係る広告方法は、クリック当り入札価格（または、露出当り入札価格）に基づいて広告に対して決定された広告掲載順位を確認するステップと、前記確認された広告掲載順位に応じる広告露出領域を介して前記広告を決定された期間の間に露出するステップと、を含み、前記クリック当り入札価格（または、前記露出当り入札価格）、前記期間の間に前記広告に対して実際に発生したクリック数（または、露出数）および前記期間の間の露出に対応する期間定額単価に基づいて前記広告の露出による広告費用が算定される。
【０００７】
本発明の一側面によると、前記クリック当り入札価格（または、前記露出当り入札価格）は、前記広告の広告主によって入力されてもよい。
【０００８】
本発明の一側面によると、前記期間定額単価は、前記広告を運用する運用者システムによって決定されてもよい。
【０００９】
本発明の一側面によると、前記広告掲載順位は、１つのウェブページに含まれた複数の広告露出領域のうちいずれの広告露出領域を介して広告が露出されるかに関する情報としての前記クリック当り入札価格（または、前記露出当り入札価格）が高いほど前記ウェブページの更に上段に位置する広告露出領域を介して前記広告が露出されるように決定されてもよい。
【００１０】
本発明の一側面によると、前記広告費用は、前記クリック当り入札価格（または、前記露出当り入札価格）および前記クリック数（または、前記露出数）に基づいて決定されるクリック従量料金（または、露出従量料金）、前記期間定額単価に基づいて決定される期間定額料金および前記広告の広告主によって決定された料金別の加重値に基づいて算出されてもよい。ここで、前記料金別の加重値は、前記広告費用に前記クリック従量料金（または、前記露出従量料金）を反映するための比率および前記期間定額料金を反映するための比率のうち少なくとも１つの比率を含んでもよい。
【００１１】
本発明の一実施形態に係る広告システムは、クリック当り入札価格（または、露出当り入札価格）に基づいて広告に対して決定された広告掲載順位を確認する広告掲載順位確認部と、前記確認された広告掲載順位に応じる広告露出領域を介して前記広告を決定された期間の間に露出する広告露出部とを備え、前記クリック当り入札価格（または、前記露出当り入札価格）、前記期間の間に前記広告に対して実際に発生したクリック数（または、露出数）、および前記期間の間の露出に対応する期間定額単価に基づいて前記広告の露出による広告費用が算定される。
【００１２】
本発明の一実施形態に係る競売方法は、少なくとも１つの広告主から入力されるクリック当り入札価格（または、露出当り入札価格）を確認するステップと、前記クリック当り入札価格（または、前記露出当り入札価格）に基づいて前記広告主の広告に対する広告掲載順位を決定するステップとを含み、前記広告は前記広告掲載順位に応じる広告露出領域を介して露出され、前記クリック当り入札価格（または、前記露出当り入札価格）、決定された期間の間の前記広告の露出に対応する期間定額単価および前記期間の間に前記広告に対して実際に発生したクリック数（または、露出数）に基づいて前記広告の露出による広告費用が算定される。
【００１３】
本発明の一実施形態に係る競売システムは、少なくとも１つの広告主から入力されるクリック当り入札価格（または、露出当り入札価格）を確認するクリック当り入札価格（または、露出当り入札価格）確認部と、前記クリック当り入札価格（または、前記露出当り入札価格）に基づいて前記広告主の広告に対する広告掲載順位を決定する広告掲載順位決定部とを備え、前記広告は前記広告掲載順位に応じる広告露出領域を介して露出され、前記クリック当り入札価格（または、前記露出当り入札価格）、決定された期間の間の前記広告の露出に対応する期間定額単価、および前記期間の間に前記広告に対して実際に発生したクリック数（または、露出数）に基づいて前記広告の露出による広告費用が算定される。
【００１４】
本発明の一実施形態に係る課金方法は、広告露出領域を介して露出された広告のクリック当り入札価格（または、露出当り入札価格）を確認するステップと、決定された期間の間の前記広告の露出に対応する期間定額単価を確認するステップと、前記期間定額単価に対する期間の間に前記広告に対して実際に発生したクリック数（または、露出数）を確認するステップと、前記クリック当り入札価格（または、前記露出当り入札価格）、前記クリック数（または、前記露出数）および前記期間定額単価に基づいて前記広告の露出による広告費用を算定するステップとを含む。
【００１５】
本発明の一実施形態に係る課金システムは、広告露出領域を介して露出された広告のクリック当り入札価格（または、露出当り入札価格）を確認するクリック当り入札価格（または、露出当り入札価格）確認部と、決定された期間の間の前記露出に対応する期間定額単価を確認する期間定額単価確認部と、前記期間定額単価に対する期間の間に前記広告に対して実際に発生したクリック数（または、露出数）を確認するクリック数（または、露出数）確認部と、前記クリック当り入札価格（または、前記露出当り入札価格）、前記クリック数（または、前記露出数）および前記期間定額単価に基づいて前記広告の露出による広告費用を算定する広告費用算定部とを備える。
【発明の効果】
【００１６】
本発明によると、クリック当り入札価格（または、露出当り入札価格）を用いた競売によって広告掲載順位を決定し、前記広告掲載順位に対応する広告露出領域を介して広告を露出による広告費用を前記クリック当り入札価格（または、露出当り入札価格）だけではなく運用者システムによって決定された期間定額単価を用いて算定することによって、クリック数（または、露出数）の変化し易さによって発生し得る広告費用の不確実性を減らすことができる。
【００１７】
本発明によると、前記期間定額単価に基づいて決定される期間定額料金、前記クリック当り入札価格（または、前記露出当り入札価格）、および前記クリック数（または、前記露出数）に基づいて決定されるクリック従量料金（または、露出従量料金）間の比率を調整することによって、広告主のニーズに合う様々な課金ポリシーを実現することができる。
【図面の簡単な説明】
【図１】本発明の一実施形態に係る競売システム、広告システム、および課金システムによる概括的な構成を示す図である。
【図２】本発明の一実施形態に係る競売方法を示すフローチャートである。
【図３】本発明の一実施形態に係る競売システムの内部構成を説明するためのブロック図である。
【図４】本発明の一実施形態に係る広告方法を示すフローチャートである。
【図５】本発明の一実施形態に係る広告システムの内部構成を説明するためのブロック図である。
【図６】本発明の一実施形態に係る課金方法を示すフローチャートである。
【図７】本発明の一実施形態に係る課金システムの内部構成を説明するためのブロック図である。
【図８】クリック当り入札価格、期間定額単価、クリック数と広告費用間の関係に関する情報を含む表の一例である。
【発明の実施のための形態】
【００１８】
以下、添付する図面を参照しながら本発明に係る様々な実施形態を詳細に説明する。
【００１９】
図１は、本発明の一実施形態に係る競売システム、広告システム、および課金システムによる概括的な構成を示す図である。まず、本実施形態に係る競売システム１０１、広告システム１０２および課金システム１０３はそれぞれ個別なシステムであり、または３つのシステムのうち２つのシステム以上が結合された形態のシステムであってもよい。例えば、競売システム１０１、広告システム１０２、および課金システム１０３の全てが１つのシステムに含まれた形態を有してもよく、競売システム１０１のみが個別に分離して広告システム１０２および課金システム１０３を含むシステムと連携してもよい。
【００２０】
競売システム１０１は、広告主ページと広告に対する競売を進めるために存在する競売ページ１２０とを介して広告主から、クリックによる入札価格であるクリック当り入札価格を、受信し、前記クリック当り入札価格を用いて広告掲載順位を決定してもよい。
【００２１】
広告システム１０２は、競売システム１０１によって決定された広告掲載順位に対応する広告露出領域を介して、当該広告を露出してもよい。例えば、広告システム１０２は、任意のウェブページ１３０の広告領域１３１に含まれた複数の広告露出領域のうち、広告掲載順位の第５位による５番目の広告露出領域１３２を介して当該広告を露出してもよい。ここで、広告システム１０２は、前記広告に該当する文書へのリンクを５番目の広告露出領域１３２に設定し、ウェブページ１３０をブラウジングするユーザによって前記リンクに対して発生するイベントに応じて前記文書をユーザに提供することで前記広告を露出してもよい。
【００２２】
課金システム１０３は、前記広告の露出による広告費用を算定してもよい。ここで、課金システム１０３は、前記クリック当り入札価格の他に、期間定額単価をさらに用いて前記広告費用用を算定することによって、クリック数の変化し易さに応じて発生し得る不確実性を減らすことができる。
【００２３】
図２は、本発明の一実施形態に係る競売方法を示すフローチャートである。本実施形態に係る競売方法は、図１を参照して説明した競売システム１０１によって行われてもよい。図２では、競売システム１０１によって各ステップが行われる過程を説明することで前記競売方法を説明する。
【００２４】
ステップＳ２０１において、競売システム１０１は、少なくとも１つの広告主から入力されるクリック当り入札価格を確認する。ここで、前記クリック当り入札価格は、広告の掲載される位置に対する競売において前記位置について一定期間の間保証を受けるために前記広告主から入力された入札価格としての前記クリック当り入札価格に基づいて前記位置に対する前記広告主の落札有無を決定してもよい。
【００２５】
ステップＳ２０２において、競売システム１０１は、前記クリック当り入札価格に基づいて前記広告主の広告に対する広告掲載順位を決定する。ここで、前記広告掲載順位は、１つのウェブページに含まれた複数の広告露出領域のうちいずれの広告露出領域を介して広告が露出されるかに関する情報であり、競売システム１０１は、前記クリック当り入札価格が高いほど前記ウェブページの上段に位置する広告露出領域を介して前記広告が露出されるように前記広告掲載順位を決定してもよい。例えば、競売システム１０１は、前記確認されたクリック当り入札価格のうち最も大きい値のクリック当り入札価格を提示した広告主の広告が最も高い広告掲載順位を有するように決定してもよく、最も高い広告掲載順位の広告は、前記ウェブページの最も上段に位置する広告露出領域を介して露出されてもよい。このようなクリック当り入札価格の落札には、可能な全ての競売形態のうち少なくとも１つの競売形態を用いてもよい。
【００２６】
ここで、前記広告は、前記広告掲載順位に応じる広告露出領域を介して運用者システムによって決定された期間定額単価に対する期間の間露出されてもよく、前記クリック当り入札価格、前記期間定額単価および前記期間定額単価に対する期間の間に前記広告に対して実際に発生したクリック数に基づいて前記広告の露出による広告費用を算定してもよい。すなわち、クリック当り入札価格を用いた競売によって広告掲載順位を決定し、前記広告掲載順位に対応する広告露出領域を介して広告を露出し、前記クリック当り入札価格のみならず、運用者システムによって決定された期間定額単価および前記期間定額単価による期間の間に実際に発生したクリック数を全て用いて前記広告露出による広告費用を算定することにより、クリック数の変化し易さに応じて発生し得る広告費用の不確実性を減らすことができる。ここで、前記運用者システムは、競売システム１０１、広告システム１０２、および課金システム１０３のうち少なくとも１つのシステム、または３つのシステムのうち２以上を含むシステムを意味する。
【００２７】
また、前記広告費用は、前記クリック当り入札価格および前記クリック数に基づいて決定されるクリック従量料金、前記期間定額単価に基づいて決定される期間定額料金および前記広告主の要求に応じて運用者システムによって決定された料金別の加重値に基づいて算出されてもよい。ここで、前記料金別の加重値は、前記広告費用に前記クリック従量料金を反映するための比率および前記期間定額料金を反映するための比率のうち少なくとも１つの比率を含んでもよい。すなわち、前記期間定額料金および前記クリック従量料金間の比率に応じて前記広告費用が算定されることによって、広告主のニーズに合う様々な課金ポリシーが実現されてもよい。例えば、前記期間定額料金に対する料金別の加重値および前記クリック従量料金に対する料金別の加重値を広告主の要求に応じて運用者システムで決定し、全体の広告費用から期間定額料金とクリック従量料金が占める比重を調整することによって、一定期間の間に予め決定された料金の比重を高めたい広告主とクリック数による料金の比重を高めたい広告主全てのニーズに合う広告費用の算定が可能になる。
【００２８】
ここで、前記広告の露出および前記広告費用の算定は、図１を参照して説明した広告システム１０２および課金システム１０３によって行なわれてもよい。すなわち、図２において点線ボックスで表示されたステップＳ２０３およびステップＳ２０４は前記広告掲載順位が決定された後に実行可能なステップであり、それぞれ広告システム１０２および課金システム１０３によって行なわれてもよい。
【００２９】
ステップＳ２０３において、広告システム１０２は、広告主から入力されたクリック当り入札価格に基づいて広告主の広告に対して決定された広告掲載順位を確認し、確認された広告掲載順位に対応する広告露出領域を介して広告主の広告を運用者システムによって決定された期間定額単価に対する期間の間露出する。
【００３０】
ステップＳ２０４において、課金システム１０３は、広告露出領域を介して露出された広告のクリック当り入札価格、運用者システムによって決定された期間定額単価、および前記期間定額単価に対する期間の間に広告に対して実際に発生したクリック数を確認し、前記クリック当り入札価格、前記クリック数、および前記期間定額単価に基づいて前記広告の露出による広告費用を算定する。
【００３１】
ステップＳ２０３およびステップＳ２０４のような広告方法および課金方法は、図４および図６を参照して詳説する。
【００３２】
図３は、本発明の一実施形態に係る競売システムの内部構成を説明するためのブロック図である。本実施形態に係る競売システム１０１は、図３に示すようにクリック当り入札価格確認部３０１および広告掲載順位決定部３０２を備える。
【００３３】
クリック当り入札価格確認部３０１は、少なくとも１つの広告主から入力されるクリック当り入札価格を確認する。ここで、前記クリック当り入札価格は、広告が掲載される位置に関する競売において前記位置を一定期間の間保証するために入力する入札価格として、前記クリック当り入札価格に基づいて前記位置に対する前記広告主の落札有無を決定してもよい。
【００３４】
広告掲載順位決定部３０２は、前記クリック当り入札価格に基づいて前記広告主の広告に対する広告掲載順位を決定する。ここで、前記広告掲載順位は、１つのウェブページに含まれた複数の広告露出領域のうちいずれの広告露出領域を介して広告が露出すされるかに関する情報を意味し、広告掲載順位決定部３０２は、前記クリック当り入札価格が高いほど前記ウェブページの上段に位置する広告露出領域を介して前記広告が露出されるように前記広告掲載順位を決定してもよい。例えば、広告掲載順位決定部３０２は、前記確認されたクリック当り入札価格のうち最も大きい値のクリック当り入札価格を提示した広告主の広告が最も高い広告掲載順位を有するように決定してもよく、最も高い広告掲載順位の広告は、前記ウェブページの最も上段に位置する広告露出領域を介して露出されてもよい。このようなクリック当り入札価格の落札には可能な全ての競売形態のうち少なくとも１つの競売形態を用いてもよい。
【００３５】
ここで、前記広告は、前記広告掲載順位に応じる広告露出領域を介して運用者システムによって決定された期間定額単価に対する期間の間露出されてもよく、前記クリック当り入札価格、前記期間定額単価、および前記期間定額単価に対する期間の間に前記広告に対して実際に発生したクリック数に基づいて前記広告の露出による広告費用を算定してもよい。すなわち、クリック当り入札価格を用いた競売によって広告掲載順位を決定し、前記広告掲載順位に応じる広告露出領域を介して広告を露出し、前記クリック当り入札価格だけではなく運用者システムによって決定された期間定額単価および前記期間定額単価による期間の間に実際に発生したクリック数を全て用いて前記広告露出による広告費用を算定することにより、クリック数の変化し易さに応じて発生し得る広告費用の不確実性を減らすことができる。ここで、前記運用者システムは、競売システム１０１、広告システム１０２、および課金システム１０３のうち少なくとも１つのシステム、または３つのシステムのうち２以上を含むシステムを意味する。
【００３６】
また、前記広告費用は、前記クリック当り入札価格および前記クリック数に基づいて決定されるクリック従量料金、前記期間定額単価に基づいて決定される期間定額料金および前記広告主の要求に応じて運用者システムによって決定された料金別の加重値に基づいて算出されてもよい。ここで、前記料金別の加重値は、前記広告費用に前記クリック従量料金を反映するための比率および前記期間定額料金を反映するための比率のうち少なくとも１つの比率を含んでもよい。すなわち、前記期間定額料金および前記クリック従量料金間の比率に応じて前記広告費用が算定されることによって、広告主のニーズに合う様々な課金ポリシーが実現されてもよい。例えば、前記期間定額料金に対する料金別の加重値、および前記クリック従量料金に対する料金別の加重値を広告主別に入力してそれぞれの料金に適用し、全体の広告費用から期間定額料金とクリック従量料金が占める比重を調整することによって、一定期間の間に予め決定された料金の比重を高めたい広告主とクリック数による料金の比重を高めたい広告主全てのニーズに合う広告費用の算定が可能になる。
【００３７】
図４は、本発明の一実施形態に係る広告方法を示すフローチャートである。本実施形態に係る広告方法は、図１を参照して説明した広告システム１０２によって行なわれてもよい。図４は、広告システム１０２によって各ステップが行われる過程を説明することにより前記広告方法を説明する。
【００３８】
ステップＳ４０１は、図２を参照して説明した競売方法を概略的に説明する部分であり、図１を参照して説明した競売システム１０１によって行なわれてもよい。すなわち、ステップＳ４０１において、競売システム１０１は少なくとも１つの広告主から入力されるクリック当り入札価格を確認し、クリック当り入札価格に基づいて広告主の広告に対する広告掲載順位を決定する。前記広告掲載順位の決定については図２を参照して詳説したため、追加的な説明は省略する。
【００３９】
ステップＳ４０２において、広告システム１０２は、広告主から入力されたクリック当り入札価格に基づいて前記広告主の広告に対して決定された広告掲載順位を確認する。ここで、上述したように前記広告掲載順位は、１つのウェブページに含まれた複数の広告露出領域のうちいずれの広告露出領域を介して広告が露出されるかに関する情報であり、前記クリック当り入札価格が高いほど前記ウェブページの上段に位置する広告露出領域を介して前記広告が露出されるようにステップＳ４０１で競売システム１０１によって決定されてもよく、広告システム１０２は、前記決定された広告掲載順位を確認してもよい。
【００４０】
ステップＳ４０３において、広告システム１０２は、運用者システムによって決定された期間定額単価に対する期間の間、前記確認された広告掲載順位に対応する広告露出領域を介して前記広告主の広告を露出する。例えば、広告システム１０２は、第１順位〜第５順位に応じてそれぞれ第１広告露出領域〜第５広告露出領域が対応した情報を含んでもよく、当該広告の広告掲載順位が第３順位である場合、第３順位に対応した第３広告露出領域を介して前記広告を露出させてもよい。前記広告の露出は、上述したように前記ウェブページの該当の広告露出領域に前記広告に該当する文書へのリンクを設定し、前記ウェブページをブラウジングするユーザによって前記リンクに対するイベントが発生する場合、前記文書を提供することで行なわれてもよい。
【００４１】
また、前記クリック当り入札価格、前記期間の間に前記広告に対して実際に発生したクリック数および前記期間定額単価に基づいて前記広告の露出による広告費用が算定される。すなわち、クリック当り入札価格を用いた競売によって広告掲載順位を決定し、前記広告掲載順位に応じる広告露出領域を介して広告を露出し、前記クリック当り入札価格だけではなく、運用者システムによって決定された期間定額単価および前記期間定額単価による期間の間に実際に発生したクリック数を全て用いて前記広告露出による広告費用を算定してもよい。このような方法により前記広告費用を算定することにより、クリック数の変化し易さに応じて発生し得る広告費用の不確実性を減らすことができる。例えば、広告露出領域に応じて前記期間の間のクリック数の予測のみが可能であるため、実際に発生するクリック数が予想と大きく異なる場合には、広告主は予想よりも極めて多くの広告費用を支払わなければならない場合が生じることがある。したがって、前記クリック当り入札価格、前記クリック数および固定された期間定額単価に応じて前記広告費用を算定することにより、クリック数の変化し易さによる不確実性を減らすことができる。
【００４２】
このために、前記広告費用は、前記クリック当り入札価格および前記クリック数に基づいて決定されるクリック従量料金、前記期間定額単価に基づいて決定される期間定額料金および前記広告主によって決定された料金別の加重値に基づいて算出してもよく、前記料金別の加重値は、前記広告費用に前記クリック従量料金を反映するための比率および前記期間定額料金を反映するための比率のうち少なくとも１つの比率を含んでもよい。すなわち、前記期間定額料金と前記クリック従量料金との間の比率に応じて前記広告費用が算定されることによって、広告主のニーズに合う様々な課金ポリシーが実現されてもよい。
【００４３】
ステップＳ４０４は、前記広告の露出による課金方法を概括的に説明する部分であり、図１を参照して説明した課金システム１０３によって行なわれてもよい。ステップＳ４０４において、課金システム１０３は、広告露出領域を介して露出された広告のクリック当り入札価格、運用者システムによって決定された期間定額単価および前記期間定額単価に対する期間の間に前記広告に対して実際に発生したクリック数を確認し、前記クリック当り入札価格、前記クリック数、および前記期間定額単価に基づいて前記広告の露出による広告費用を算定する。このような課金方法については上述したように図６を参照して詳説する。
【００４４】
図５は、本発明の一実施形態に係る広告システムの内部構成を説明するためのブロック図である。本実施形態に係る広告システム１０２は、図５に示すように広告掲載順位確認部５０１および広告露出部５０２を備えてもよい。
【００４５】
広告掲載順位確認部５０１は、広告主から入力されたクリック当り入札価格に基づいて前記広告主の広告に対して決定された広告掲載順位を確認する。ここで、上述したように前記広告掲載順位は、１つのウェブページに含まれた複数の広告露出領域のうちいずれの広告露出領域を介して広告が露出されるかに関する情報であり、前記クリック当り入札価格が高いほど前記ウェブページの上段に位置する広告露出領域を介して前記広告が露出されるように競売システム１０１によって決定してもよく、広告掲載順位確認部５０１は前記決定された広告掲載順位を確認してもよい。
【００４６】
広告露出部５０２は、前記確認された広告掲載順位に応じる広告露出領域を介して前記広告主の広告を期間定額単価に対する期間の間に露出する。例えば、広告露出部５０２は、第１順位〜第５順位に応じてそれぞれ第１広告露出領域〜第５広告露出領域が対応した情報を含んでもよく、当該広告の広告掲載順位が第３順位である場合、第３順位に対応した第３広告露出領域を介して前記広告を露出させてもよい。前記広告の露出は、上述したように前記ウェブページの該当の広告露出領域に前記広告に該当する文書へのリンクを設定し、前記ウェブページをブラウジングするユーザによって前記リンクに対するイベントが発生する場合、前記文書を提供することによって行なわれてもよい。
【００４７】
また、前記クリック当り入札価格、前記期間の間に前記広告に対して実際に発生したクリック数、および前記期間定額単価に基づいて前記広告の露出による広告費用が算定される。このために、前記広告費用は、前記クリック当り入札価格および前記クリック数に基づいて決定されるクリック従量料金、前記期間定額単価に基づいて決定される期間定額料金、および前記広告主によって決定された料金別の加重値に基づいて算出してもよく、前記料金別の加重値は、前記広告費用に前記クリック従量料金を反映するための比率および前記期間定額料金を反映するための比率のうち少なくとも１つの比率を含んでもよい。
【００４８】
図６は、本発明の一実施形態に係る課金方法を示すフローチャートである。本実施形態に係る課金方法は図１を参照して説明した課金システム１０３によって行なわれてもよい。図６では、課金システム１０３によって各ステップが行われる過程を説明することで前記課金方法を説明する。
【００４９】
まず、ステップＳ６０１およびステップＳ６０２は、図１を参照して説明した競売システム１０１および広告システム１０２によってそれぞれ行なわれてもよい。すなわち、ステップＳ６０１において、競売システム１０１は、少なくとも１つの広告主から入力されるクリック当り入札価格を確認し、前記クリック当り入札価格に基づいて前記広告主の広告に対する広告掲載順位を決定してもよい。また、ステップＳ６０２において、広告システム１０２は、広告主から入力されたクリック当り入札価格に基づいて前記広告主の広告に対して決定された広告掲載順位を確認し、前記確認された広告掲載順位に応じる広告露出領域を介して前記広告主の広告を運用者システムによって決定された期間定額単価に対する期間の間に露出してもよい。広告掲載順位を決定し、広告を露出する方法については図２〜図４を参照して詳説したため追加的な説明は省略する。
【００５０】
ステップＳ６０３において、課金システム１０３は、広告露出領域を介して露出された広告のクリック当り入札価格を確認する。すなわち、課金システム１０３は、前記広告のクリック当り入札価格を、ステップＳ６０１で広告主から入力されたクリック当り入札価格の中から、確認してもよい。また、前記広告は複数の広告露出領域のうち、前記クリック当り入札価格に基づいて決定された広告掲載順位に対応する広告露出領域を介して露出された広告を意味する。
【００５１】
ステップＳ６０４において、課金システム１０３は、運用者システムによって決定された期間定額単価を確認する。ここで、運用者システムは、上述したように競売システム１０１、広告システム１０２、および課金システム１０３のうち少なくとも１つのシステムまたは２以上を含むシステムを意味する。前記期間定額単価は、前記クリック当り入札価格によるクリック従量料金だけではなく、期間による期間定額料金を全て用いて広告費用を算定することによって、クリック数の変化し易さに応じて発生し得る広告費用の不確実性を減らすために用いてもよい。
【００５２】
ステップＳ６０５において、課金システム１０３は、前記期間定額単価に対する期間の間に前記広告に対して実際に発生したクリック数を確認する。すなわち、課金システム１０３は、前記クリック当り入札価格と共に前記広告に対して実際に発生したクリック数を確認することによって、発生したクリックによるクリック従量料金を算出してもよい。例えば、課金システム１０３は、前記クリック当り入札価格と前記クリック数との間の乗算演算によって前記クリック従量料金を算出してもよい。
【００５３】
ステップＳ６０６において、課金システム１０３は、前記クリック当り入札価格、前記期間定額単価、および前記クリック数に基づいて前記広告の露出による広告費用を算定する。このために、課金システム１０３は、前記クリック当り入札価格および前記クリック数に基づいて決定されるクリック従量料金、前記期間定額単価に基づいて決定される期間定額料金、および前記広告主の要求に応じて運用者システムによって決定された料金別の加重値に基づいて前記広告費用を算出してもよい。すなわち、前記期間の間に何回のクリック数が発生するかを予め確認することのできない不確実性を定額制料金である運用者システムによって予め決定された期間定額単価によって減らすと同時に、クリック当り入札価格に応じて成果による広告費用を算定してもよい。
【００５４】
また、前記料金別の加重値は、前記広告費用に前記クリック従量料金を反映するための比率および前記期間定額料金を反映するための比率のうち少なくとも１つの比率を含んでもよい。すなわち、広告主の要求に応じて運用者システムによって決定された料金別の加重値を用いる場合、広告実行の前に広告費用を予め確認することのできる期間定額料金および広告成果に応じて広告費用が算定されるクリック従量料金の比重を広告主のニーズに合うように調整してもよい。
【００５５】
図７は、本発明の一実施形態に係る課金システムの内部構成を説明するためのブロック図である。本実施形態に係る課金システム１０３は、図７に示すようにクリック当り入札価格確認部７０１、期間定額単価確認部７０２、クリック数確認部７０３、および広告費用算定部７０４を備える。
【００５６】
クリック当り入札価格確認部７０１は、広告露出領域を介して露出された広告のクリック当り入札価格を確認する。すなわち、クリック当り入札価格確認部７０１は、前記広告のクリック当り入札価格を、競売システム１０１において広告主から入力されたクリック当り入札価格の中から、確認してもよい。また、前記広告は、複数の広告露出領域のうち前記クリック当り入札価格に基づいて決定された広告掲載順位に対応する広告露出領域を介して露出された広告を意味する。
【００５７】
期間定額単価確認部７０２は、運用者システムによって決定された期間定額単価を確認する。ここで、運用者システムは上述したように競売システム１０１、広告システム１０２、および課金システム１０３のうち少なくとも１つのシステムまたは２以上を含むシステムを意味する。前記期間定額単価は全体の広告費用のうち当該期間の間に固定的に支払われる広告費用であり、クリックによる広告費用の比重を減らすことにより、クリック数の変化し易さに応じて発生し得る広告費用の不確実性を減らすために用いてもよい。
【００５８】
クリック数確認部７０３は、前記期間定額単価に該当する期間の間に前記広告に対して実際に発生したクリック数を確認する。すなわち、クリック数確認部７０３は、前記期間定額単価と共に前記広告に対して実際に発生したクリック数を確認することによって、発生したクリックによるクリック従量料金を算出してもよい。例えば、クリック数確認部７０３は、前記クリック当り入札価格と前記クリック数との間の乗算演算によって前記クリック従量料金を算出してもよい。
【００５９】
広告費用算定部７０４は、前記クリック当り入札価格、前記期間定額単価および前記クリック数に基づいて前記広告の露出による広告費用を算定する。このために、広告費用算定部７０４は、前記クリック当り入札価格および前記クリック数に基づいて決定されるクリック従量料金、前記期間定額単価に基づいて決定される期間定額料金および前記広告主の要求に応じて運用者システムによって決定された料金別の加重値に基づいて前記広告費用を算出してもよい。すなわち、前記期間の間に何回のクリック数が発生するかを予め確認することのできない不確実性を定額制料金である期間定額単価によって減らすと同時に、クリック当り入札価格によって広告効果による広告費用を算定してもよい。
【００６０】
また、前記料金別の加重値は、前記広告費用に前記クリック従量料金を反映するための比率および前記期間定額料金を反映するための比率のうち少なくとも１つの比率を含んでもよい。すなわち、広告主によって決定された料金別の加重値を用いる場合、広告実行の前に広告費用を予め確認することのできる期間定額料金および広告成果に応じて広告費用が算定されるクリック従量料金の比重を広告主のニーズに合うように調整してもよい。
【００６１】
図８は、クリック当り入札価格、期間定額単価、クリック数と広告費用との間の関係についての情報を含む表の一例である。第１広告主〜第３広告主は、それぞれクリック当り入札価格を入力し、競売システム１０１は、前記クリック当り入札価格に応じて広告掲載順位を決定してもよい。表８０１は、前記第１広告主〜前記第３広告主に対してさらに高いクリック当り入札価格を提示した広告主であるほど広告掲載順位が高いことを示している。
【００６２】
ここで、広告システム１０２によって広告主の広告が運用者システムによって決定された期間定額単価による期間の間に該当の広告露出領域を介して露出されてもよい。この場合、課金システム１０３は、前記広告の露出による広告費用を前記クリック当り入札価格、期間定額単価、およびクリック数に基づいて決定してもよい。例えば、表８０１において、第１広告主の広告費用は、クリック当り入札価格とクリック数との間の乗算演算結果、および前記乗算演算結果と期間定額単価との間の加算演算の結果（「５０ウォン」×「６，０００」＋「１２０，０００ウォン」＝「４２０，０００ウォン」）に決定された。
【００６３】
また、前記期間定額単価に基づいて決定される期間定額料金「１２０，０００ウォン」または前記クリック当り入札価格および前記クリック数に基づいて決定されるクリック従量料金「５０ウォン×６０００」には予め決定された比率の料金別の加重値が適用されてもよい。例えば、広告効果に応じて広告費用が決定されるクリック従量料金に更に大きい比重を占めたい広告主に対してクリック従量料金に「１．１」の料金別の加重値を、期間定額料金に「０．８」の料金別の加重値を付与した場合、第１広告主の広告費用は「５０ウォン」×「６０００」×「１．１」＋「１２０，０００」×「０．８」＝「４２６，０００」ウォンのように算定してもよい。このような前記料金別の加重値は、広告主の要求に応じて運用者システムによって広告の実行前に予め決定されてもよい。
【００６４】
このように、本発明の実施形態に係る競売システム、広告システム、および課金システムを用いると、クリック当り入札価格を用いた競売によって広告掲載順位を決定し、前記広告掲載順位に応じる広告露出領域を介して広告の露出に伴った広告費用を前記クリック当り入札価格のみならず、運用者システムによって決定された期間定額単価および前記期間定額単価による期間の間に実際に発生したクリック数を全て用いて算定することにより、クリック数の変化し易さに応じて発生し得る広告費用の不確実性を減らすことができる。また、前記期間定額単価に基づいて決定される期間定額料金と前記クリック当り入札価格および前記クリック数に基づいて決定されるクリック従量料金間の比率を調整することによって、広告主のニーズに合う様々な課金ポリシーを実現してもよい。
【００６５】
また、本実施形態を用いて広告のクリックに対する課金だけではなく、広告の露出に対する課金を行ってもよい。前記露出による課金は、前記クリック当り入札価格の代わりに露出当り入札価格を、前記クリック数の代わりに露出数を、また前記クリック従量料金の代わりに露出従量料金を用いて同一の構成により実行できるため、その反復的な説明は省略する。この場合、露出数の変化し易さによる広告費用の不確実性を減らすことができる。
【００６６】
本発明に係る実施形態は、多様なコンピュータ手段によって行われることができるプログラム命令の形態で実現され、コンピュータ読み出し可能媒体に記録されてもよい。前記記録媒体は、プログラム命令、データファイル、データ構造などを単独または組み合わせたものを含んでもよい。前記記録媒体及びプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェアモジュールとして作動するように構成されてもよい。
【００６７】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００６８】
したがって、本発明の範囲は、開示された実施形態に限定されて定められるものではなく、特許請求の範囲及び特許請求の範囲と均等なものなどによって定められるものである。
【図１】
0005373100.tif 000002
【図２】
0005373100.tif 000003
【図３】
0005373100.tif 000004
【図４】
0005373100.tif 000005
【図５】
0005373100.tif 000006
【図６】
0005373100.tif 000007
【図７】
0005373100.tif 000008
【図８】
0005373100.tif 000009